(57)【特許請求の範囲】
【請求項１】
被検体の周囲を単位角度ごとに回転しつつ、当該被検体内に投与された放射性同位元素から放出されるγ線あるいは被検体外に設置されたγ線源から放出されるγ線をフォトンごとに検出するγ線検出器を有する核医学診断装置において、
γ線検出器の検出面上のγ線を検出した位置から、γ線を収集するγ線検出器の検出面上の領域を設定する領域設定手段と、
前記領域設定手段により設定した領域内の各画素にフォトンの計数値を設定する計数値設定手段と、
単位角度において前記領域内の全ての画素でフォトンの計数値が前記計数値設定手段により設定した計数値以上となったときに当該単位角度でのγ線の収集を終了する収集手段と、
を有することを特徴とする核医学診断装置。
【請求項２】
被検体の周囲を単位角度ごとに回転しつつ、当該被検体内に投与された放射性同位元素から放出されるγ線あるいは被検体外に設置されたγ線源から放出されるγ線をフォトンごとに検出するγ線検出器を有する核医学診断装置において、
γ線検出器の検出面上のγ線を検出した位置から、γ線を収集するγ線検出器の検出面上の領域を設定する領域設定手段と、
前記領域設定手段により設定した領域内の画素全体でのフォトンの計数値の合計を設定する合計計数値設定手段と、
単位角度において前記領域内の画素全体でのフォトンの合計計数値が前記合計計数値設定手段により設定した合計計数値以上となったときに当該単位角度でのγ線の収集を終了する収集手段と、
を有することを特徴とする核医学診断装置。
【請求項３】
被検体の周囲を単位角度ごとに回転しつつ、当該被検体内に投与された放射性同位元素から放出されるγ線あるいは被検体外に設置されたγ線源から放出されるγ線をフォトンごとに検出するγ線検出器を有する核医学診断装置において、
γ線検出器の画素全体でのフォトンの計数値の合計を設定する全体計数値設定手段と、
単位角度において画素全体のフォトンの合計計数値が前記全体計数値設定手段により設定した合計計数値以上となったときに当該単位角度でのγ線の収集を終了する収集手段と、
を有することを特徴とする核医学診断装置。
【請求項４】
γ線の収集の上限時間を設定する上限時間設定手段を有し、
前記収集手段は、単位角度において上限時間が経過したときに当該単位角度でのγ線の収集を終了することを特徴とする請求項１乃至３のいずれかに記載の核医学診断装置。
【発明の詳細な説明】
【０００１】
【発明の属する技術分野】
本発明は、被検体に投与された放射性同位元素（Radioisotope、以下「ＲＩ」という）から放出されるγ線を検出して、被検体内におけるＲＩの分布を画像化する核医学診断装置に関する。
【０００２】
【従来の技術】
核医学診断装置は、生体の特定の組織や臓器等の正常に機能している部分に取り込まれ易い性質を有する化合物をＲＩで標識化した放射性医薬品を被検体に投与し、ＲＩから放出されるγ線を検出して被検体内におけるＲＩの分布を画像化することにより、生体の機能や代謝を診断することを可能とするものである。
【０００３】
ＲＩ分布を画像化する手法としては、被検体の断層面におけるＲＩの２次元分布を断層画像化する手法がある。
【０００４】
具体的には、例えば崩壊時に一個の光子（以下、適宜「フォトン」という）を放出するシングルフォトン放出核種をＲＩとする放射性医薬品を被検体に投与し、被検体の外部に設置したγ線検出器を被検体の体軸を中心に所定の単位角度ごとに回転させ、各単位角度において同一の収集時間だけＲＩから放出されるγ線をγ線検出器で検出してフォトンを計数し、フィルタ補正逆投影法などの画像再構成の処理を行なうことで、被検体の体軸に略垂直な断層面におけるＲＩの２次元分布について断層画像を得るようになっている。
【０００５】
なお、γ線検出器は、その検出面の縦横を例えば２５６×２５６で等分割したそれぞれの小領域でフォトンを計数するようになっており、この小領域のことをここでは「画素」と称することとする。
【０００６】
【発明が解決しようとする課題】
上述したように、従来の核医学診断装置は、γ線検出器が所定の単位角度ごとに被検体の周囲を回転してγ線を収集する際に、全ての単位角度において同一の収集時間でγ線を収集するようになっている。
【０００７】
このため、γ線検出器の各画素ではフォトンの計数値にバラつきが発生し、断層画像の画質に劣化が生じる場合がある。すなわち、フォトンの計数値がゼロあるいは極端に少ない画素が存在する場合には、断層画像上にアーチファクト（虚像）が発生する原因となる。
【０００８】
このようなフォトンの計数値のバラつきを改善するためには、γ線の収集時間を長くすることが考えられるが、被検体に対しては長時間静止していることを強要することになってしまう。
【０００９】
また、γ線の収集時間を短くした場合には、フォトンの計数値が少なくなり、いわゆるＳ／Ｎ比が低下して断層画像の画質が劣化するという問題もある。
【００１０】
本発明は、上記に鑑みてなされたものであり、その目的とするところは、γ線検出器の画素ごとのフォトンの計数値のバラつきを防止するとともに、適切な収集時間でγ線の収集を終了し得る核医学診断装置を提供することにある。
【００１１】
【課題を解決するための手段】
上記目的を達成するため、請求項１記載の本発明に係る核医学診断装置は、被検体の周囲を単位角度ごとに回転しつつ、当該被検体内に投与された放射性同位元素から放出されるγ線あるいは被検体外に設置されたγ線源から放出されるγ線をフォトンごとに検出するγ線検出器を有する核医学診断装置において、γ線検出器の検出面上のγ線を検出した位置から、γ線を収集するγ線検出器の検出面上の領域を設定する領域設定手段と、前記領域設定手段により設定した領域内の各画素にフォトンの計数値を設定する計数値設定手段と、単位角度において前記領域内の全ての画素でフォトンの計数値が前記計数値設定手段により設定した計数値以上となったときに当該単位角度でのγ線の収集を終了する収集手段と、を有することを要旨とする。
【００１３】
請求項２記載の本発明は、被検体の周囲を単位角度ごとに回転しつつ、当該被検体内に投与された放射性同位元素から放出されるγ線あるいは被検体外に設置されたγ線源から放出されるγ線をフォトンごとに検出するγ線検出器を有する核医学診断装置において、γ線検出器の検出面上のγ線を検出した位置から、γ線を収集するγ線検出器の検出面上の領域を設定する領域設定手段と、前記領域設定手段により設定した領域内の画素全体でのフォトンの計数値の合計を設定する合計計数値設定手段と、単位角度において前記領域内の画素全体でのフォトンの合計計数値が前記合計計数値設定手段により設定した合計計数値以上となったときに当該単位角度でのγ線の収集を終了する収集手段と、
を有することを要旨とする。
【００１５】
請求項３記載の本発明は、被検体の周囲を単位角度ごとに回転しつつ、当該被検体内に投与された放射性同位元素から放出されるγ線あるいは被検体外に設置されたγ線源から放出されるγ線をフォトンごとに検出するγ線検出器を有する核医学診断装置において、γ線検出器の画素全体でのフォトンの計数値の合計を設定する全体計数値設定手段と、単位角度において画素全体のフォトンの合計計数値が前記全体計数値設定手段により設定した合計計数値以上となったときに当該単位角度でのγ線の収集を終了する収集手段と、を有することを要旨とする。
【００２１】
【発明の実施の形態】
以下、本発明の実施の形態について図面を用いて説明する。
【００２２】
［第１の実施の形態］
図１は、第１の実施の形態に係る核医学診断装置の概略の構成を示す断面図である。同図の核医学診断装置は、被検体３に投与されたＲＩから放出されるγ線を検出面で２次元的に検出するγ線検出器１と、上面部に被検体３が配置される寝台２と、γ線検出器１を回転させるための図示していない機構部と、γ線検出器１や機構部等の制御の他、γ線の検出結果に基づいてデータ処理等を行う図示していないコンソールを有する構成である。
【００２３】
γ線検出器１の内側には、γ線の吸収特性に優れた鉛板やタングステン板等に多数の微小な円柱孔を配列して設けたコリメータが設置されており、被検体３に投与されたＲＩから放射状に放出されるγ線が検出面に対して垂直以外の方向から入射しないようにγ線の入射方向を規制するようになっている。
【００２４】
また、コリメータ後方に設置された図示していないシンチレータによりγ線のエネルギーを光に変換し、図示していない光電子増倍管により光を電気信号に変換してフォトンを計数するようになっている。この際、検出面の縦横を例えば２５６×２５６に等分割した各画素ごとにフォトンを計数する。このようなγ線検出器１は、いわゆるアンガータイプと呼ばれるものであるが、半導体アレイタイプのγ線検出器を用いるようにしてもよい。半導体アレイタイプは、コリメータの後方にγ線をエネルギーに応じた振幅の電気信号に変換する半導体素子を有する構成であることが一般的である。
【００２５】
図２は、当該核医学診断装置の制御系の構成を示すブロック図である。同図において、制御部２１と、データ処理部２４と、操作部２５と、表示部２６は、前述したコンソールを構成する。
【００２６】
機構部２３は、γ線検出器１を設計上の回転軸Ｃを中心として所定の単位角度ごとに図１に示す右回り方向へ回転させるようになっている。
【００２７】
次に、被検体３の断層画像を撮影する処理について説明する。
【００２８】
まず、臓器４に取り込まれ易い性質を有する放射性医薬品を被検体３に投与し、被検体３をその体軸が回転軸Ｃと略垂直となるように寝台２に配置する。操作者が操作部２５を用いて断層画像の撮影を指示すると、制御部２１は、γ線検出器１の回転の角度が０°の状態で、後述する単位角度におけるγ線の収集処理に従い、γ線検出器１にγ線を収集させる。γ線の収集が終了したところで、制御部２１は、γ線検出器１がγ線を検出してフォトンを計数することによって得たデータをデータ処理部２４へ伝送するとともに、機構部２３に対してγ線検出器１を単位角度だけ回転させるように指令を出す。ここで、単位角度は、４〜６°程度が望ましいと考えられるが、これより粗い角度でも細い角度でもよい。
【００２９】
機構部２３がγ線検出器１を単位角度だけ回転させた後、制御部２１では、その角度において、上記と同様にγ線検出器１にγ線を収集させ、これにより得たデータをデータ処理部２４へ伝送する。この処理を、γ線検出器１が被検体３の周囲を一周するまで繰り返す。
【００３０】
続いて、データ処理部２４では、制御部２１から伝送されてきた被検体３の周囲一周分のデータを用いてフィルタ補正逆投影法などの画像再構成処理を行うことにより、被検体３の断層画像を得る。この断層画像は、放射性医薬品を取り込んでいた臓器４を画像化したものである。制御部２１は、この断層画像を表示部２６へ伝送し、操作者が視認できるように表示する。
【００３１】
次に、前述した単位角度におけるγ線の収集処理について、図３に示すフローチャートを用いて説明する。
【００３２】
まず、ステップ１で、制御部２１が、単位角度でのγ線の収集開始を指令すると、この指令に従ってγ線検出器１はγ線の収集を開始する。
【００３３】
ステップ２で、制御部２１は、γ線検出器１がγ線を収集しているときに、γ線が検出された検出面上の位置からγ線を収集する収集領域を設定する。また、γ線を収集しているときに、この設定した領域以外でγ線が検出されたときには、改めて収集領域を設定し直すこととする。この収集領域は、臓器４から放出されたγ線がコリメータによる入射方向の規制を受けてγ線検出器１に垂直に入射する領域であり、図１においては、Ａで示した範囲に相当する。この収集領域以外の領域ではγ線は殆ど検出されないことから、γ線が検出されている位置を判別することにより、この収集領域を設定することができる。
【００３４】
ステップ３で、この収集領域内における各画素にフォトンの計数値を設定する。計数値がゼロとなることを防ぐため、この収集領域内における全ての画素について計数値を１カウント以上の適切な数値に設定する。
【００３５】
ステップ４で、収集領域内の全ての画素について実際に計数したフォトンの計数値が設定した計数値以上となったか否かを判定する。この条件を満たさない場合には、同ステップへ戻ってγ線の収集を継続する。一方、この条件を満たした場合には、ステップ５へ進んで、当該単位角度におけるγ線の収集を終了する。
【００３６】
その後、制御部２１は、機構部２３に対してγ線検出器１を単位角度だけ回転させるように指令を出し、次の角度におけるγ線の収集に移行するようにする。
【００３７】
したがって、本実施の形態によれば、単位角度ごとに異なる時間でγ線を収集できるようにしたことで、各単位角度において同一の収集時間でγ線を収集することによるγ線検出器１の各画素ごとのフォトンの計数値のバラつきを防止することができる。
【００３８】
具体的には、γ線が検出された検出面上の位置からγ線を収集する収集領域を設定し、この収集領域内の各画素にフォトンの計数値を設定して、収集領域内の全ての画素について実際の計数値が設定値以上となったときに、その単位角度におけるγ線の収集を終了するようにしたことで、画素ごとのフォトンの計数値のバラつきを防止することができる。
【００３９】
［第２の実施の形態］
第２の実施の形態に係る核医学診断装置の基本的な構成は、図１と同様であり、また、制御系の基本的な構成については図２と同様である。本実施の形態の特徴としては、単位角度でのγ線の収集処理において、γ線を検出した検出面上の位置からγ線を収集する収集領域を設定するとともに、この収集領域内における画素全体でのフォトンの合計計数値を設定し、収集領域内の画素全体での実際のフォトンの合計計数値が設定値以上となったときに、その単位角度におけるγ線の収集を終了するようにしたことにある。以下、図４に示すフローチャートを用いて説明する。
【００４０】
ステップ１１とステップ１２の処理は、図３を用いて説明したステップ１とステップ２の処理と同一であるので、ここでは説明を省略する。
【００４１】
ステップ１３で、制御部２１は、収集領域内の画素全体でのフォトンの合計計数値を設定する。例えば、臓器４が心筋であるような場合には４０００カウント程度とする。
【００４２】
ステップ１４で、収集領域における画素全体での実際のフォトンの合計計数値が設定した合計計数値以上となったか否かを判定する。この条件を満たしていない場合には、同ステップに戻って、γ線の収集を継続する。一方、この条件を満たした場合には、ステップ１５へ進んで当該単位角度におけるγ線の収集を終了する。
【００４３】
したがって、本実施の形態によれば、γ線を収集する収集領域を設定し、この収集領域内における画素全体でのフォトンの合計計数値を設定するようにして、収集領域内の画素全体での実際のフォトンの合計計数値が設定値以上となったときに、その単位角度におけるγ線の収集を終了するようにしたことで、十分なフォトンを計数することができ、Ｓ／Ｎ比を改善することができる。
【００４４】
なお、本実施の形態においては、収集領域内の画素全体でフォトンの合計計数値を設定することとしたが、第１の実施の形態で説明したような各画素に計数値を設定する処理と組み合わせてもよい。例えば、図３に示したステップ４の条件と図４で示したステップ１４の条件とがいずれも満たされた場合、あるいはいずれかの条件が満たされた場合に、その単位角度でのγ線の収集を終了させるようにする。かかる場合には、Ｓ／Ｎ比を改善することができるとともに、各画素ごとのフォトンの計数値のバラつきを防止することができる。
【００４５】
［第３の実施の形態］
第３の実施の形態に係る核医学診断装置の基本的な構成は、図１と同様であり、また、制御系の基本的な構成については図２と同様である。本実施の形態の特徴としては、単位角度でのγ線の収集処理において、γ線を収集する上限時間を設定し、上限時間が経過したときに、その単位角度におけるγ線の収集を終了するようにしたことにある。以下、図５に示すフローチャートを用いて説明する。
【００４６】
まず、このフローチャートに示す処理を開始する前に、制御部２１では、単位角度でのγ線を収集する上限時間を予め設定しておくものとする。上限時間は、例えば、２０秒〜３０秒程度とする。
【００４７】
同図のフローチャートにおいて、ステップ２５を除くステップ２１〜ステップ２６の処理は、第１の実施の形態で図３を用いて説明したステップ１〜ステップ５の処理と同一であるので、ここでは説明を省略する。
【００４８】
ステップ２４で、制御部２１が、収集領域内の全ての画素について実際のフォトンの計数値が設定した計数値以上になっていないと判断した場合には、第１の実施の形態においては、同ステップに戻ってγ線の収集を継続することとしたが、本実施の形態においては、ステップ２５に進むようになっている。
【００４９】
ステップ２５では、制御部２１は、収集の上限時間を経過したか否かを判定する。上限時間が経過していない場合には、ステップ２４に戻ってγ線の収集を継続する。一方、上限時間が経過した場合には、ステップ２６に進んで当該単位角度でのγ線の収集を終了する。
【００５０】
したがって、本実施の形態によれば、γ線を収集する上限時間を設定し、この上限時間が経過したときに、その単位角度におけるγ線の収集を終了するようにしたことで、収集領域内の全ての画素についてフォトンの計数値が設定値以上になっていない場合でも適切な時間でγ線の収集を終了することができる。
【００５１】
なお、本実施の形態においては、第１の実施の形態におけるγ線の収集処理に上限時間を設けることとしたが、第２の実施の形態におけるγ線の収集処理についても、同様に上限時間を設けることができ、かかる場合にも、上記と同様の効果を奏することができる。
【００５２】
［第４の実施の形態］
第４の実施の形態においては、γ線源をγ線検出器に対向して設置したトランスミッション型ＣＴ装置に本発明を適用した場合について説明する。
【００５３】
γ線源を設置したトランスミッション型ＣＴ装置は、γ線源とγ線検出器との組が被検体の周囲を所定の単位角度ごとに回転するようにして、各単位角度において、γ線源から放出され被検体内で一部が吸収されつつ被検体を透過してきたγ線をγ線検出器により検出し、所定の画像再構成の処理をすることにより被検体の断層画像を得るものである。
【００５４】
このようにして得られた断層画像は、いわば被検体内におけるγ線の吸収係数マップといえるものである。このγ線の吸収係数マップは、上記各実施の形態において説明した核医学診断装置（以下、適宜「エミッション型ＣＴ装置」という）により得られた断層画像に関し、被検体内におけるγ線の吸収による画質劣化の補正に利用されている。
【００５５】
ところが、このようなトランスミッション型ＣＴ装置によるγ線の収集においては、γ線が被検体の内部を透過する経路が長いため、被検体内でγ線が完全に吸収されて、フォトンの計数値がゼロとなってしまう場合が生じ易い。このような場合には、被検体の内部にγ線の吸収係数値が無限大であるかのような物質が存在することと等価になるため、吸収係数マップに強いアーチファクトが発生する原因となっていた。
【００５６】
なお、エミッション型ＣＴ装置とγ線源を設置したトランスミッション型ＣＴ装置とは使用上の便宜から核医学診断装置として一体となっていることが一般的である。
【００５７】
図６は、本実施の形態に係る核医学診断装置の概略の構成を示す断面図である。同図の核医学診断装置は、γ線を放出するγ線源６４と、γ線源６４に対向して配置されγ線源６４から放出されたγ線を検出するγ線検出器６１と、γ線源６４とγ線検出器６１との間に配置され、上面部に被検体６３が配置される寝台６２と、γ線源６４とγ線検出器６１の組をその位置関係を保持した状態で回転軸Ｃを中心に回転させる機構部（図示せず）と、γ線検出器６１や機構部等の制御やデータ処理等を行うコンソール（図示せず）を有する構成である。
【００５８】
γ線検出器６１は、γ線源６４から放出されて寝台６２上に配置された被検体６３を透過したγ線をフォトンごとに検出してフォトンを計数するようになっている。なお、γ線検出器６１は、図１で説明したγ線検出器１と同様の構成と機能を有するものとする。
【００５９】
また、当該核医学診断装置の制御系の基本的な構成は図２と同様であり、γ線検出器６１がγ線源６４から放出されたγ線を検出するようになっている点が異なるだけであるので、ここでは説明を省略する。
【００６０】
次に、単位角度におけるγ線の収集処理について図７のフローチャートを用いて説明する。
【００６１】
まず、このフローチャートに示す処理を開始する前に、制御部２１では、単位角度でγ線を収集する際のγ線検出器６１の画素全体でのフォトンの合計計数値を予め設定しておくとともに、γ線の収集の上限時間を設定しておくものとする。
【００６２】
ステップ３１で、制御部２１が、単位角度でのγ線の収集開始を指令すると、この指令に従ってγ線検出器６１はγ線の収集を開始する。
【００６３】
ステップ３２で、制御部２１は、γ線検出器６１がγ線を収集しているときに、被検体６３を透過したγ線が検出された検出面上の位置から被検体を透過したγ線を収集する収集領域を設定する。また、γ線を収集しているときに、設定した領域以外で被検体を透過したγ線が検出されたときには、改めて収集領域を設定し直すこととする。この収集領域は、図６においてはＢで示した範囲に相当する。この収集領域以外の検出面上の領域では、γ線源６４から放出されたγ線がそのまま検出されることから、収集領域と収集領域以外の領域とでフォトンの計数値は大幅に異なってくる。このことを利用してフォトンの計数値を判別することにより、この収集領域を設定することができる。
【００６４】
ステップ３３で、この収集領域内の各画素に計数すべきフォトンの計数値を設定する。計数値がゼロとなることを防ぐために、この収集領域内における全ての画素について最低限必要な１カウントを設定する。
【００６５】
ステップ３４で、収集領域内の全ての画素について実際のフォトンの計数値が設定した計数値以上となったか否かを判定する。この条件を満たさない場合には、同ステップへ戻ってγ線の収集を継続する。一方、この条件を満たした場合には、ステップ３５へ進む。このステップ３４での条件は、最低限必要な１カウントの収集を保証するためのものであるので、この条件を満たした場合であってもＳ／Ｎ比が低くなることが予想され、十分な画質が得られるとは限らない。
【００６６】
そこで、ステップ３５では、画素全体の合計計数値が予め設定しておいた合計計数値以上となっているか否かを判定し、この条件を満たしている場合に、ステップ３７へ進んで当該単位角度におけるγ線の収集を終了するようにする。
【００６７】
一方、ステップ３５の条件を満たさない場合には、ステップ３６へ進んで上限時間が経過していないかを判定する。上限時間が経過していない場合にはステップ３４へ戻ってγ線の収集を継続し、上限時間が経過した場合にはステップ３７へ進んで当該単位角度におけるγ線の収集を終了する。
【００６８】
したがって、本実施の形態によれば、被検体６３を透過したγ線の収集領域内の各画素にフォトンの計数値を設定するとともに、この収集領域内の画素全体についてもフォトンの合計計数値を設定し、さらにγ線の収集の上限時間を設定するようにして、それぞれの条件が満たされたときに、当該単位角度でのγ線の収集を終了するようにしたことで、各画素ごとのフォトンの計数値のバラつきを防止することができるとともに、Ｓ／Ｎ比を改善することができ、さらに適切な収集時間でγ線を収集することができる。
【００６９】
なお、本実施の形態においては、γ線の収集領域内の各画素のフォトンの計数値の設定、γ線の収集領域内の画素全体でのフォトンの合計計数値の設定、γ線の収集の上限時間の設定、の３つの設定の組み合せをγ線源を設置したトランスミッション型ＣＴ装置に適用した場合について説明したが、この３つの組み合せは、エミッション型ＣＴ装置にも適用することができ、かかる場合にも、上記と同様の効果を奏することができる。
【００７０】
［他の実施の形態への適用］
本発明は、崩壊時に一個のフォトンを放出するシングルフォトン放出核種をＲＩとして用いるＳＰＥＣＴ（Single Photon Emission Computed Tomography）に適用できる他、放出した陽電子（ポジトロン）が近傍の電子と結合して消滅する際に１８０°対向する方向に２個のフォトンを放出するポジトロン放出核種をＲＩとして用いるＰＥＴ（Positron Emission Computed Tomography）等に対しても適用することができる。
【００７１】
【発明の効果】
以上、説明したように、請求項１記載の本発明に係る核医学診断装置によれば、前記単位角度ごとに異なる時間でもγ線を収集できるようにしたことで、各単位角度において同一の収集時間でγ線を収集することによるγ線検出器の画素ごとのフォトンの計数値のバラつきを防止することができる。
【００７２】
請求項２記載の本発明に係る核医学診断装置によれば、γ線を収集する際に、γ線検出器の検出面上のγ線を検出する領域を設定し、この領域内の各画素にフォトンの計数値を設定して、単位角度において前記領域内の全ての画素でフォトンの計数値が設定した計数値以上となったときに当該単位角度でのγ線の収集を終了するようにしたことで、各単位角度におけるγ線の収集時間をそれぞれ適切な時間にするとともに、γ線検出器の画素ごとのフォトンの計数値のバラつきを防止することができる。
【００７３】
請求項３記載の本発明に係る核医学診断装置によれば、検出面のγ線を検出する領域内の画素全体でのフォトンの合計計数値を設定し、単位角度において前記領域内の画素全体でのフォトンの合計計数値が設定した合計計数値以上となったときに当該単位角度でのγ線の収集を終了するようにしたことで、前記領域内において十分なフォトンが計数されてＳ／Ｎ比を向上することができる。
【００７４】
請求項４記載の本発明に係る核医学診断装置によれば、γ線の収集の上限時間を設定し、単位角度において上限時間が経過したときに当該単位角度でのγ線の収集を終了するようにしたことで、設定値以上のフォトンが計数されない場合でも適切な時間でγ線の収集を終了することができる。
【００７５】
請求項５記載の本発明に係る核医学診断装置によれば、γ線検出器の画素全体でのフォトンの合計計数値を設定しておき、単位角度において画素全体のフォトンの合計計数値が設定しておいた合計計数値以上となったときに当該単位角度でのγ線の収集を終了するようにしたことで、γ線検出器の画素全体として十分なフォトンが計数されてＳ／Ｎ比を向上することができる。
【図面の簡単な説明】
【図１】第１の実施の形態に係る核医学診断装置の概略の構成を示す断面図である。
【図２】核医学診断装置の制御系の構成を示すブロック図である。
【図３】第１の実施の形態における単位角度でのγ線の収集処理を示すフローチャートである。
【図４】第２の実施の形態における単位角度でのγ線の収集処理を示すフローチャートである。
【図５】第３の実施の形態における単位角度でのγ線の収集処理を示すフローチャートである。
【図６】第４の実施の形態に係る核医学診断装置の概略の構成を示す断面図である。
【図７】第４の実施の形態における単位角度でのγ線の収集処理を示すフローチャートである。
【符号の説明】
１，６１…γ線検出器、２，６２…寝台、３，６３…被検体、４…臓器、２１…制御部、２３…機構部、２４…データ処理部、２５…操作部、２６…表示部、６４…γ線源
【図１】
0004383610.tif 000002
【図２】
0004383610.tif 000003
【図３】
0004383610.tif 000004
【図４】
0004383610.tif 000005
【図５】
0004383610.tif 000006
【図６】
0004383610.tif 000007
【図７】
0004383610.tif 000008